(57)【要約】  【課題】遊技機用島設備に遊技機を設置する作業において、遊技機を開口部へスムーズに嵌め込むことが可能な遊技機を提供する。  【解決手段】外枠５１を略矩形状に形成する上板１５、下板１６、左板１７、及び右板１８の内の上板１５は、外枠５１を遊技機用島設備の取付用開口部に嵌め込む方向と直交する方向でローラー回転軸を備えるローラー１０を備え、ローラー回転軸は上板１５の上外側面から下方にローラー１０の半径より小さい軸芯距離Ｄに配置され、ローラー１０の上部は上板１５の上外側面から上方に突出距離Ｅだけ突出することで、前記嵌め込み時にローラー１０が取付用開口部に接触して回転し、スムーズに嵌め込むことを可能とする。【選択図】    図６
2014223172.tif 000002
【特許請求の範囲】
【請求項１】
遊技機用島設備の取付用開口部に嵌め込んだ後で固定される略矩形状の外枠を備え、
該外枠は、其々が略平板状に形成された上板部材、下板部材、左板部材、及び右板部材を備えると共に其々の板部材の端部を連結して前記略矩形状に形成されなる遊技機において、
外枠の何れかの前記板部材は、前記取付用開口部に外枠を嵌め込む方向に直交する方向に設けられた回転軸を中心に回転可能な回転体を備え、
前記回転軸は、前記板部材の外側面から内側方向であり且つ前記回転体の半径より小さい所定の軸芯距離に配置され、
前記回転体の一部は前記板部材の前記外側面から外側方向に向かって所定の突出距離まで突出してなる
ことを特徴とした遊技機。
【請求項２】
請求項１に記載の遊技機において、
前記回転体を備えた前記板部材は、前記回転体が突出する該板部材の外側周辺部に遮蔽部材を備え、
該遮蔽部材は、
前記板部材の外側面から外側方向に向かって前記回転体の所定の突出距離より小さい距離しか突出しない退避状態と、前記板部材の外側面から外側方向に向かって前記所定の突出距離より大きい距離まで突出することで前方から前記外側周辺部より後方への異物の進入を遮蔽する進出状態と、に変化可能である
ことを特徴とする遊技機。
【請求項３】
請求項１又は請求項２に記載の遊技機において、
前記何れかの板部材は、前記外側面に回転可能に軸支される把手基体部と把持可能な把持部を具備してなる把手を備え、
前記把手は、前記外側面から起立して把持可能な起立状態と、傾倒して前記外側面に凹設された第１収納凹部に該把手の少なくとも前記把手基体部が収納される傾倒状態と、に変化可能に設けられ、
前記回転体は、前記把手の前記把手基体部に設けられると共に該把手が傾倒状態となったとき前記外側面から外側方向に向かって前記所定の突出距離まで突出してなる
ことを特徴とする遊技機。
【請求項４】
請求項３に記載の遊技機において、
前記把手を備えた前記板部材の外側面は、前記遊技機とは異なる他の遊技機の把手が傾倒状態にあるとき該他の遊技機の把手の少なくとも把持部が収納される第２収納凹部が凹設されてなり、
前記第２収納凹部に前記他の遊技機の少なくとも把持部が収納されることで前記遊技機と前記他の遊技機を位置決め可能とする
ことを特徴とする遊技機。
【発明の詳細な説明】
【技術分野】
【０００１】
本発明は、遊技機用島設備に設置されるパチンコ機に代表される遊技機に関するものである。
【背景技術】
【０００２】
従来から一般的に知られる遊技機の外殻は、遊技機を前方視した場合に略矩形状に形成される外枠で構成され、該外枠には遊技機を構成する他の各種装置が設けられてきた。なお外枠は、何れも略同じ奥行き幅の平板で形成される上板、下板、左板、及び右板で構成され、其々の板の両端部を相互に連結することで、上述した略矩形状を形成している。
一方、遊技場では、このような外枠を備えた複数の遊技機を、列設可能とした遊技機用島設備が設置され、遊技機の設置作業の効率化や、遊技機への遊技媒体の供給作業の自動化等が図られてきた。この種の遊技機用島設備には、遊技機を設置するために外枠の外形寸法よりも僅かに大きな開口部が開設されている。
遊技機用島設備に遊技機を設置するには、遊技機を開口部まで持ち上げて、一旦外枠の下板を開口部の下部に載せてから、徐々に開口部の奥方向に向かって所定位置まで遊技機を嵌め込んで、その後に釘等の何らかの固定手段によって、少なくとも下板と開口部の下部を固定する等によって、設置される。
因みに、外枠を構成する上述した各板の素材には、一般的に木材が使用されるが、金属材料を使用することで各板を薄く成形することで、外枠の内側に配置される内枠に配設される電子部品の実装スペースを大きくする遊技機（例えば、特許文献１に記載の遊技機）が開発されている。
【先行技術文献】
【特許文献】
【０００３】
【特許文献１】特開２００４−１８８０６５号公報
【発明の概要】
【発明が解決しようとする課題】
【０００４】
しかしながら、特許文献１に記載の遊技機であっても、外枠を木材で形成した従来の遊技機と、上述した設置作業に大きな違いは無かった。すなわち、何れの場合でも開口部に遊技機を嵌め込んで行く際に、外枠の何れかの外側面が開口部の内壁の何処かに衝突（接触）し、該衝突を解消するように軌道修正するという煩雑な作業を、所定の設置予定位置に遊技機が到達するまで、何度も繰り返す必要があった。ところが、近年の遊技機は、精密な電子部品等を搭載し且つ液晶装置等が巨大化する等して重量が増大しているために、上述した嵌め込み作業は、慎重を要し更に重労働であることで、非常に困難なものとなっていた。また、設置される遊技機の台数は、大抵は複数台、時には何十台にも上る場合も少なくは無く、遊技場における当該嵌め込み作業の負担は、甚大であったため、当該嵌め込み作業を容易とする技術が強く期待されていた。
本発明は係る課題に鑑みなされたものであり、遊技機用島設備に遊技機を設置する作業において、遊技機を開口部へスムーズに嵌め込むことが可能な遊技機を提供することを目的とする。
【課題を解決するための手段】
【０００５】
上記課題を解決するためになされた請求項１に記載の本発明は、
遊技機用島設備の取付用開口部に嵌め込んだ後で固定される略矩形状の外枠を備え、
該外枠は、其々が略平板状に形成された上板部材、下板部材、左板部材、及び右板部材を備えると共に其々の板部材の端部を連結して前記略矩形状に形成されなる遊技機において、
外枠の何れかの前記板部材は、前記取付用開口部に外枠を嵌め込む方向に直交する方向に設けられた回転軸を中心に回転可能な回転体を備え、
前記回転軸は、前記板部材の外側面から内側方向であり且つ前記回転体の半径より小さい所定の軸芯距離に配置され、
前記回転体の一部は前記板部材の前記外側面から外側方向に向かって所定の突出距離まで突出してなる
ことを特徴とする。
【０００６】
前記板部材の外側面から内側方向とは、上板部材、下板部材、左板部材及び右板部材によって形成される略矩形状の閉じた内部領域に向かう方向であり、逆に、外側方向とは前記内部領域から退行する方向に相当する。
【０００７】
請求項２に記載の本発明は、請求項１に記載の遊技機において、
前記回転体を備えた前記板部材は、前記回転体が突出する該板部材の外側周辺部に遮蔽部材を備え、
該遮蔽部材は、
前記板部材の外側面から外側方向に向かって前記回転体の所定の突出距離より小さい距離しか突出しない退避状態と、前記板部材の外側面から外側方向に向かって前記所定の突出距離より大きい距離まで突出することで前方から前記外側周辺部より後方への異物の進入を遮蔽する進出状態と、に変化可能である
ことを特徴とする。
【０００８】
外側周辺部とは、略矩形状に形成された外枠に関して、矩形状によって閉じられた内部を内側とした場合に、逆に矩形状の外側であり、該矩形状を囲繞する領域（空間）であって、更にいえば、外枠を遊技機用島設備の取付開口部に嵌め込んだ際に、突出した前記回転体を備えているが故に、必然的に発生する取付開口部と外枠との間隙に相当する。
【０００９】
請求項３に記載の本発明は、請求項１または請求項２に記載の遊技機において、
前記何れかの板部材は、前記外側面に回転可能に軸支される把手基体部と把持可能な把持部を具備してなる把手を備え、
前記把手は、前記外側面から起立して把持可能な起立状態と、傾倒して前記外側面に凹設された第１収納凹部に該把手の少なくとも前記把手基体部が収納される傾倒状態と、に変化可能に設けられ、
前記回転体は、前記把手の前記把手基体部に設けられると共に該把手が傾倒状態となったとき前記外側面から外側方向に向かって前記所定の突出距離まで突出してなる
ことを特徴とする。
【００１０】
請求項４に記載の本発明は、請求項３に記載の遊技機において、
前記把手を備えた前記板部材の外側面は、前記遊技機とは異なる他の遊技機の把手が傾倒状態にあるとき該他の遊技機の把手の少なくとも把持部が収納される第２収納凹部が凹設されてなり、
前記第２収納凹部に前記他の遊技機の少なくとも把持部が収納されることで前記遊技機と前記他の遊技機を位置決め可能とする
ことを特徴とする。
【発明の効果】
【００１１】
請求項１のように構成された遊技機によれば、回転体の一部が外側面から所定の突出距離まで突出するので、遊技機を遊技機用島設備の取付用開口部に嵌め込む際に、回転体を備えた板部材よりも先に、突出した回転体が取付用開口部の内壁部に接触して回転することにより、取付用開口部に遊技機をスムーズに嵌め込むことが出来る。また、遊技機を取付用開口部から取り外す際にも、スムーズに抜き取ることが出来る。
【００１２】
請求項２に記載の遊技機においては、遊技機を遊技機用島設備の取付用開口部に嵌め込んだ際、回転体が突出する板部材の外側周辺部にて、遮蔽部材が回転体よりも更に大きい距離で突出する進出状態に変化可能であるため、板部材の外側面と取付用開口部の内壁部に形成される間隙を遮蔽し、該間隙に挿入される異物の進入を阻止可能となる。このため、間隙に前方から異物を挿入して遊技機用島設備の内部や、遊技機の裏面側に異物を用いて何らかの作用を為し、不正に利得を得る所謂ゴト行為を未然に防止することが出来る。
【００１３】
また、遮蔽部材を退避状態に変化させることで、取付用開口部に遊技機を嵌め込む際に、遮蔽部材よりも先に、突出した回転体が取付用開口部の内壁部に接触して回転するので、取付用開口部への遊技機のスムーズな嵌め込み及びを阻害しない。また、スムーズな抜き取りを阻害しない。
【００１４】
請求項３のように構成された遊技機によれば、板部材に枢設されて、起立状態と傾倒状態に回転して変化可能な把手が、回転体を備えており、第１収納凹部に少なくとも把手基体部が収納された傾倒状態にて、回転体の作用により取付用開口部に遊技機をスムーズに嵌め込むことが出来る。また、遊技機を取付用開口部から取り外す際にも、スムーズに抜き取ることが出来る。スムーズな嵌め込み作業を維持しつつ、さらに起立状態にて持部を把持することで、遊技機の搬送も飛躍的に容易とすることができる。
【００１５】
また、把手の少なくとも把手基体部が傾倒状態にて第１収納凹部に収納されるので、取付用開口部への遊技機のスムーズな嵌め込みを阻害しない。また、スムーズな抜き取りを阻害しない。
さらに、回転体は把手の把手基体部に設けられるので、把持部を持つ時に邪魔にならない。
【００１６】
請求項４に記載の遊技機においては、他の遊技機すなわち隣接する遊技機の把手が傾倒状態にあるとき、該把手の少なくとも把持部が、当該遊技機の第２収納凹部に収納可能となっている。これによって、例えば、複数の遊技機を１箇所に集積して据え置いた状態で搬送したり、或いは遊技場内にて設置作業の前後において、所定のエリアに其々一定の間隔を置いて据え置く際、当該遊技機の第２収納凹部に、他の遊技機の少なくとも把持部を収納することで、相互に係止して位置関係を維持する。これにより、相互に係止された複数の遊技機群は、遊技機単体の場合と比較して、据え置いた状態の安定性が著しく向上し、搬送時や設置作業の前後において、遊技機を転倒させて破壊させてしまう危険性を低下させることが出来る。
【図面の簡単な説明】
【００１７】
【図１】本発明の実施例１のパチンコ機５０の正面図
【図２】実施例１のパチンコ機５０の背面図
【図３】実施例１のパチンコ機５０の側面図
【図４】実施例１のパチンコ機５０の平面図
【図５】実施例１の外枠５１（パチンコ機５０）を遊技機用島設備に嵌め込む際の、ローラー１０及び遮蔽部材２０の作用を説明する概略説明図
【図６】実施例１の外枠５１（パチンコ機５０）を遊技機用島設備に嵌め込む際の、ローラー１０及び遮蔽部材２０の作用を説明する概略説明図
【図７】実施例２のパチンコ機５０の正面図
【図８】実施例２のパチンコ機５０の背面図
【図９】実施例２のパチンコ機５０の右側面図
【図１０】実施例２のパチンコ機５０の左側面図
【図１１】実施例２の外枠１５１（パチンコ機１５０）を遊技機用島設備に嵌め込む際の、ローラー１１０ｂ及び遮蔽部材１２０ａの作用を説明する概略説明図
【図１２】実施例２の外枠１５１（パチンコ機１５０）を遊技機用島設備に嵌め込む際の、又は嵌め込み作業の前後の保管時におけるローラー１１０ａ、把手１２５及び遮蔽部材１２０ｂの作用を説明する概略説明図
【図１３】実施例３のパチンコ機２５０の正面図
【図１４】実施例３のパチンコ機２５０の背面図
【図１５】実施例３のパチンコ機２５０の右側面図
【図１６】実施例３のパチンコ機２５０が備える把手２２５及びローラー２１０ａの概略説明図
【図１７】実施例３の遮蔽部材２２０ｂの進出状態と退避状態を説明する概略説明図
【図１８】実施例３の把手の把持部及び第２収納凹部の作用を説明する概略説明図
【発明を実施するための形態】
【００１８】
以下に本発明の好適な実施形態について説明する。尚、本発明の実施の形態は下記の実施例に何ら限定されるものではなく、本発明の技術的範囲に属する種々の形態を採ることができ、各実施例に記載された内容を適宜組み合わせることが可能なことはいうまでもない。
［実施例１］
【００１９】
先ず、以下に本発明の実施形態を説明する上で、方向を示す際に、図１に示すように遊技機としてのパチンコ機の正面に相対する遊技者から視たときの、上すなわち天井側方向を上方（上側方向又は上側）、下すなわち床側方向を下方（下側方向又は下側）、向かって左を左方（左側方向又は左側）、向かって右を右方（右側方向又は右側）、パチンコ機から遊技者に向かう方向を前方（前側方向、手前側方向、前側又は手前側）、パチンコ機から遊技者と反対側に向かう方向を後方（後側方向、奥側方向、後側又は奥側）、と呼称して説明するものとする。
【００２０】
では、本発明の遊技機として、所謂弾球遊技機の一種であるパチンコ機５０の概要構成について、図１乃至図４を参照して説明する。図１は実施例１のパチンコ機５０の正面図であり、図２は実施例１のパチンコ機５０の背面図であり、図３は実施例１のパチンコ機５０の側面図であり、図４は実施例１のパチンコ機５０の平面図である。
パチンコ機５０は、縦長の固定外郭保持枠をなす外枠５１にて構成の各部を保持する構造である。外枠５１の左側方上下には、図示しないヒンジが設けられており、該ヒンジの他方側には図示しない内枠が取り付けられており、内枠は外枠５１に対して開閉可能な構成になっている。外枠５１び前方に配置された前枠５２には、板ガラス６１が取り外し自在に設けられており、板ガラス６１の奥には、図示しない遊技盤が内枠に取り付けられて配置されるようになっている。詳細な説明は割愛するが、遊技盤には各種入賞口やアウト口、等が設けられている。
【００２１】
前枠５２の上側左右には、スピーカ６６が設けられており、パチンコ機５０から発生する遊技音が出力され、遊技者の趣向性を向上させる。また、前枠５２の下方には、上皿５５と下皿６３が一体に形成されている。下皿６３の右側には発射ハンドル６４が取り付けられており、発射ハンドル６４を時計回りに回動操作することによって発射装置（図示省略）が駆動して、上皿５５から供給された遊技球が遊技盤に向けて発射される。
【００２２】
上皿５５の上部ほぼ中央には、遊技者が操作可能な演出ボタン６７が備えられており、遊技者が所定期間中に、演出ボタン６７を操作することで図示しない演出図柄表示装置に表示される内容が変化したり、スピーカ６６より出力される遊技音が変化したりする。また、このパチンコ機５０はいわゆるＣＲ機であって、プリペイドカードの読み書き等を行うためのプリペイドカードユニット（ＣＲユニット）１３０（図１乃至図４には示さない。図１１参照）が付属しており、パチンコ機５０の上皿５５には、貸出ボタン５７、精算ボタン５８等を有するＣＲ精算表示装置が備わっている。
【００２３】
パチンコ機５０の裏面には、上述した図示しない遊技盤を脱着可能に取り付ける内枠外枠５１に収納されている。この内枠の上部には、賞球又は貸し球を上述した上皿５５又は下皿６３に向けて送出する遊技球を貯留する球タンク７１を備え、該球タンク７１の下方且つ左方（図２における図示右側）には球タンク７１の遊技球を払い出すための払出装置７３が設けられている。この構成により、遊技盤上の入賞口に遊技球の入賞があれば球タンク７１からタンクレールを介して所定個数の遊技球を払出装置７３により上述した上皿５５に排出することができる。また、パチンコ機５０の裏側には、主制御装置、払出制御装置、演出図柄制御装置、サブ統合制御装置、発射制御装置、電源基板が設けられているが、便宜上、説明は省略する。
【００２４】
このような各種装置を外枠５１が保持するパチンコ機５０に例示される近年の弾球遊技機は、外枠５１の前方及び後方に、相当の重量となる各種装置が膨出して設けられる（特に図３及び図４参照）のが一般的である。そして、外枠５１の下面部にて接地した状態は、非常にバランスが悪く、当該姿勢を維持しつつ接地したまま移動させることはかなり困難な作業となっていた。このような作業の困難性こそが、本発明の課題に関連するところとなるのであるが、本発明の要部を説明する前に、パチンコ機５０に例示される本発明の遊技機が、どのようにして遊技場に設置されるかについてや、要部を具備してなる外枠５１の詳細な構成等について、以下に説明する。
【００２５】
通常、遊技場には複数のパチンコ機５０（遊技機）を整列して配置すると共に、各パチンコ機５０にて使用する遊技球（遊技媒体）を、一括して循環供給可能な機能を備えた遊技機用島設備が設置されている。この遊技機用島設備は、配置予定の複数のパチンコ機５０に対応して、複数の設置用窓枠（取付用開口部）が開設されている。該設置用窓枠は、パチンコ機５０の略矩形状に形成された外枠５１が嵌め込み可能な大きさと形状に形成される。つまり、外枠５１の外形である略矩形状に対して、これと相似であり且つやや大きな形状に形成される。これにより、外枠５１すなわちパチンコ機５０は設置用窓枠に嵌め込み（挿入）可能であり、且つ外枠５１の何れかの外側面部と相対する設置用窓枠の何れかの内側面部との間に形成される間隙（クリアランス）は、比較的に小さく設定することが出来る。よって、当該間隙に不正にピアノ線や薄板等を挿入して遊技機用島設備の内部やパチンコ機５０の裏面側に不正な作用を為すことで不当に利得を得ようとする所謂ゴト行為等を行い難くしている。
【００２６】
パチンコ機５０を遊技場に設置する際は、このような遊技機用島設備の設置用窓枠にパチンコ機５０を所定の設置位置まで嵌め込んだ後、容易に移動が不可能なように、外枠５１と設置用窓枠とを、例えば釘等の固定手段によって固定することで設置が行われる。さらに詳述すると、パチンコ機５０を持ち上げて、設置用窓枠の下窓枠部の上に、一旦載置する。次に、設置用窓枠の奥側方向に向かってパチンコ機５０を嵌め込んで、所定の位置まで進入させてから、上述した方法により外枠５１の固定作業を行ってパチンコ機５０の設置を完了する。
【００２７】
次に、本実施例のパチンコ機５０が嵌め込まれて設置される本発明の取付用開口部としての設置用窓枠の構成について、詳述する。
先ず、本実施例のパチンコ機５０は、所謂ＣＲ機として構成されている。このため、プリペイドカードユニット（ＣＲユニット）１３０（図１乃至図４には示さない。図１１参照）が付属されることは先に説明した。通常、プリペイドカードユニット（ＣＲユニット）１３０は、パチンコ機５０と略同じ高さで前方視薄型の箱状に形成されており、異なる種類の弾球遊技機にも対応可能となっている。したがって、遊技場が遊技機を入れ替える場合には、プリペイドカードユニット（ＣＲユニット）１３０を遊技機用島設備に設置したままで、遊技機の入れ替え作業が行われる。そして、プリペイドカードユニット（ＣＲユニット）１３０は、通常、パチンコ機５０の左方に近接して配置される。よって、このようなプリペイドカードユニット（ＣＲユニット）１３０をパチンコ機５０が付属する場合には、プリペイドカードユニット（ＣＲユニット）１３０は開口された設置用窓枠（取付用開口部）の左窓枠部に寄せて設置されるのが一般的である。よって、このようにプリペイドカードユニット（ＣＲユニット）１３０が設置される場合には、パチンコ機５０はプリペイドカードユニット（ＣＲユニット）１３０の右側面部と、設置用窓枠の上窓枠部、下窓枠部、及び右窓枠部によって構成される開口部に嵌め込まれることになり、嵌め込み時に外枠５１の左側面部は、プリペイドカードユニット（ＣＲユニット）１３０の右側面部に相対する状態となる。
本実施例では、プリペイドカードユニット（ＣＲユニット）１３０の右側面部と、設置用窓枠の上窓枠部、下窓枠部、及び右窓枠部によって構成される開口部が、本発明の取付用開口部に相当することになる。なお、プリペイドカードユニット（ＣＲユニット）１３０を備えない場合には、本発明の取付用開口部は、設置用窓枠の上窓枠部、下窓枠部、左窓枠部及び右窓枠部によって構成されることになる。
【００２８】
次に、本実施例の外枠５１の更に詳細な構成について説明する。
本実施例の外枠５１は、上側方向に配置される上板１５と、下側方向に配置される下板１６と、左側方向に配置される左板１７と、右側方向に配置される右板１８の、少なくとも４枚の平板状の板で構成されている。
これらの各板は、其々が略同じ板厚及び板幅（前後方向の奥行き幅）で形成され、各板の端部は相互に３枚組み継ぎの構成にて組み合わされ（図３参照）、図示しない所定の固定手段（例えばビス等による螺着）によって連結されてなる。そして、このように連結された各板は、前方視縦長且つ略矩形状に組み付け形成されることで、上述したように縦長の固定外郭保持枠としての外枠５１を構成するものである。
【００２９】
すなわち、本実施例の外枠５１は略矩形状に形成される。また、外枠５１は、其々が略平板状に形成された上板（上板部材）１５、下板（下板部材）１６、左板（左板部材）１７、及び右板（右板部材）１８を備える。また、当該上板（上板部材）１５、下板（下板部材）１６、左板（左板部材）１７、及び右板（右板部材）１８は、其々の端部を連結することで略矩形状に形成されてなる。
【００３０】
なお、このように構成される外枠５１を備えたパチンコ機５０が、遊技機用島設備に設置されると、上板１５の外側面すなわち上面部が上窓枠部の下面部に相対し、下板１６の外側面すなわち下面部が下窓枠部の上面部に相対し、左板１７の外側面すなわち左面部がプリペイドカードユニット（ＣＲユニット）１３０の右側面部に相対し、右板１８の外側面すなわち右面部が右窓枠部の左面部に相対することになる。
【００３１】
本実施例では、外枠５１の上板部材としての上板１５が、本発明の要部である回転体としてのローラー１０、及び遮蔽部材２０を備えている。この要部の構成の概要について、引き続き図１乃至図４を参照して説明する。
先ず、ローラー１０について説明する。上板１５は、略円柱状に形成された複数のすなわち２個のローラー１０を左右両側に備えている。ローラー１０の上部は、上板１５の外側面すなわち上面部からさらに上方に所定の高さで突出するように設けられている。つまり、上板１５の上面部から下方にローラー１０の前記上部以外の部分は埋設され、ローラー回転軸を中心として回動可能に枢設されている。また、図４に示すように、ローラー１０のローラー回転軸は、左右方向に設けられている。すなわち、当該ローラー回転軸の設置方向は、パチンコ機５０つまり外枠５１の取付用開口部への嵌め込み方向に対して、直交する方向となっている。因みに、この嵌め込み方向は、図３及び図４に矢印ａにて示す方向すなわち後方へ向かう方向となっている。
このように、ローラー１０のローラー回転軸が、嵌め込み方向と直交する方向に設定されて設けられることで、嵌め込み作業においてローラー１０が上窓枠部の下面部に接すると、容易に回転可能となっている。ローラー１０については、後で更に詳細に説明するが、このように本実施例の外枠５１を構成する上板１５（上板部材）は、遊技機用島設備の取付用開口部に外枠５１或いはパチンコ機５０を嵌め込む際の嵌め込み方向（前後方向）に対して、直交する方向（左右方向）に設けられたローラー回転軸（回転軸）を中心に回動可能なローラー１０（回転体）を備えている。
【００３２】
次いで、遮蔽部材２０について説明する。遮蔽部材２０は、左右方向の長さが上板１５と略同じの横長平板状の薄板で形成されている。該遮蔽部材２０には、図２に示すように、左右両側と中央の３箇所に、固着螺子２１の螺子部が挿通可能であって、上下方向に縦長の長円形状に形成されてなるルーズ穴２２が開設されている。一方、上述したように、ローラー１０を備えた上板１５の後側面部には、遮蔽部材２０のルーズ穴２２に対応する位置に、固着螺子２１の螺子部に螺合可能な螺子穴が設けられている。
このように構成される上板１５及び遮蔽部材２０は、固着螺子２１の螺子部をルーズ穴２２に挿通した後、上板１５の後側面部の螺子穴に螺合することで、図３に示すように遮蔽部材２０は、上板１５の後側面部に密着して取り付けることが可能となっている。さらに、固着螺子２１を緩めてルーズ穴２２の間隙により可能な範囲で、遮蔽部材２０を上下方向に移動させた上で、再度螺合することで、上板１５に対する遮蔽部材２０の高さ位置を変化させることが可能となっている。なお、図１乃至図４に示す遮蔽部材２０は、最も低い高さ位置にて取り付けられた状態となっており、ルーズ穴２２によって、図３に矢印ｂにて示す方向すなわち上方、更にいえばローラー１０が突出している方向へ変位可能となっている。遮蔽部材２０の詳しい構成及び作用についても、後で説明する。
【００３３】
次に、本発明の要部である回転体としてのローラー１０及び遮蔽部材２０に係る詳細な構成と作用について、図５及び図６を参照して説明する。図５及び図６は、本実施例の外枠５１（パチンコ機５０）を遊技機用島設備に嵌め込む際の、ローラー１０及び遮蔽部材２０の作用を説明する概略説明図である。
図５及び図６には、外枠５１（パチンコ機５０）を遊技機用島設備に嵌め込む際の、上板１５及び遊技機用島設備の取付用開口部の上部のみを概略的に示した。図５（ａ）は、図５（ｂ）のＡＡ´矢視図であり、図６（ａ）は、図６（ｂ）のＡＡ´矢視図である。図５（ｂ）及び図６（ｂ）は、後方視した図である。
図示、遊技島開口部上板５は、上述した設置用窓枠の上窓枠部に相当する構成である。因みに、一般的な遊技機用島設備の構成として、当該遊技島開口部上板５の後方且つ上方には、各パチンコ機５０の球タンク７１に遊技球を供給するための各種装置が設けられており、該遊技島開口部上板５の前方且つ上方には、内蔵された各種装置を遊技者側から視認不能とするように遊技島上部化粧板が設けられている。
【００３４】
先ず、ローラー１０の構成を説明する。図５に示すように、ローラー１０は半径Ｆで略円柱形状に形成され、外枠５１の嵌め込み方向としての図示矢印ａの方向に対して直交する方向でローラー回転軸を備えている。また、上板１５は、上板外側面部１５ａから下方に向かって、ローラー１０を収容可能な凹部として形成されたローラーハウジング１１を備える。さらに、上板１５は、上板外側面部１５ａから下方に向かって軸芯距離Ｄの位置にてローラー１０のローラー回転軸を枢設する。軸芯距離Ｄは、半径Ｆより小さく設定されることで、ローラー１０の上部が、上板外側面部１５ａから上方に、突出距離Ｅだけ突出するように構成されている。なお、図示した状態は、外枠５１が遊技機用島設備の取付用開口部に嵌め込まれる過程であって、図に示したローラー１０は、最上部にて遊技島開口部上板５の下面に接しているが、必ずしも当接しなくても良い。ローラー１０の最上部と遊技島開口部上板５の下面との間に僅かに間隙があっても良い。要するに、遊技島開口部上板５の下面に対して、上板外側面部１５ａよりもローラー１０の最上部が近い位置となる構成であれば良い。
【００３５】
すなわち、ローラー１０（回転体）のローラー回転軸（回転軸）は、上板１５の上板外側面部１５ａ（外側面）から、下方（略矩形状に形成された外枠５１の内側方向）であり、且つローラー１０の半径Ｆより小さい軸芯距離Ｄ（所定の軸芯距離）の位置に配置されている。
また、ローラー１０（回転体）の上部（一部）は、上板１５の上板外側面部１５ａ（外側面）から、上方（略矩形状に形成された外枠５１の外側方向）に向かって突出距離Ｅ（所定の突出距離）まで突出して構成されている。
【００３６】
本実施例のローラー１０は、上述した構成によって、遊技島開口部上板５に対して以下のような作用を為す。
つまり、遊技島開口部上板５の下面に対して、上板外側面部１５ａよりもローラー１０の最上部が近い位置となる構成により、外枠５１を遊技機用島設備に嵌め込んで矢印ａの方向に移動する際、上板外側面部１５ａが遊技島開口部上板５の下面に接触する前に、ローラー１０の最上部が接触する。これにより、上板外側面部１５ａが遊技島開口部上板５の下面に接触して、矢印ａの方向への外枠５１の嵌め込み移動が困難となる状態を回避し、当該嵌め込み作業を容易とする。
また、嵌め込み方向としての矢印ａの方向に対して、ローラー回転軸が直交する方向で設けられているので、嵌め込んでいく過程においてローラー１０の最上部が遊技島開口部上板５の下面に接触すると、ローラー１０は容易に回転する。このため、遊技島開口部上板５の下面にローラー１０が接触したとしても、摩擦抵抗が低いので、さらに嵌め込み作業を容易とすることができる。
このような嵌め込み作業における摩擦抵抗を低下させるローラー１０によって、図５の状態から更に進入して所定の停止位置（遊技機用島設備に対するパチンコ機５０の設置予定位置）まで変位した状態が図６に示す状態である。
【００３７】
次に、遮蔽部材２０の構成について説明する。遮蔽部材２０には、既に説明したように、３箇所のルーズ穴２２が、上下方向に縦長の長円形状に形成されて設けられている。該ルーズ穴２２に対応して、上板１５の後側面部には螺子穴が設けられている。固着螺子２１をルーズ穴２２に挿通し、螺子穴にて螺合することで、上板１５の後側面部に遮蔽部材２０が密着して備えられる。
図５は、固着螺子２１をルーズ穴２２の最上部に挿通して取り付けたことにより、遮蔽部材２０が上板１５の後側面部に最も低い位置にて取り付けられた状態を示している。図には、遮蔽部材２０の上端が、上板１５の上板外側面部１５ａと略面一となるように示されている。なお、この状態に限らず、遮蔽部材２０の上端が、ローラー１０の最上部よりも低く、すなわち嵌め込み移動の際に、遮蔽部材２０がローラー１０よりも先に、遊技島開口部上板５の下面に接触することのないように、位置決めされていれば良く、遮蔽部材２０の上端が上板外側面部１５ａより突出していても良いし、逆に下方に退避していても良い。何れにしても、このような遮蔽部材２０の状態が、本発明の退避状態である。
また、遮蔽部材２０は、図６に示すように、図示矢印ｂすなわち上方に向かって変位可能であって、図５に示した状態よりも高い位置に変位して固定することも可能となっている。より詳しくは、遮蔽部材２０の上端が、遊技島開口部上板５の下面よりも高い位置まで上昇可能となっている。これは、固着螺子２１をルーズ穴２２の最下部に挿通して取り付けることが可能な構成であることによる。このような遮蔽部材２０の状態が、本発明の進出状態であって、更に遮蔽部材２０は、進出状態と退避状態に変化可能な構成となっている。
【００３８】
次にこのように構成される遮蔽部材２０の作用について説明する。
先ず、図５に示す状態では、先に述べたように、ローラー１０の最上部と遊技島開口部上板５の下面が当接している状態であるため、当該嵌め込み作業中には、ローラー１０の上部の突出距離Ｅと同じ大きさの間隙（クリアランス）が、遊技島開口部上板５の下面と上板外側面部１５ａの間に発生する。当該間隙は、ローラー１０が突出する上板１５に係る本発明の外側周辺部に相当する。
外枠５１或いはパチンコ機５０を遊技機用島設備に嵌め込む作業においては、図５に示すように、遮蔽部材２０は、該遮蔽部材２０の上端部がローラー１０の最上部より低い、すなわち遊技島開口部上板５の下面にローラー１０よりも接触し難い位置に位置決めされる。これにより、嵌め込み作業において、遊技島開口部上板５の下面にローラー１０が接触して回転するため、嵌め込みをスムーズに行うことが出来、作業の容易化を図ることができる。本実施例の場合には、嵌め込み作業にて、パチンコ機５０を後方へ移動するとき、パチンコ機５０の上部が前方に倒れてパチンコ機５０の上部且つ後部が遊技島開口部上板５の下面に引っ掛かって動かなくなったり、又は逆にパチンコ機５０の上部が後方に倒れてパチンコ機５０の上部且つ前部が遊技島開口部上板５の下面に引っ掛かって動かなくなったり、といった状態を防止して、円滑な移動を実現することができる。
【００３９】
次に、嵌め込み作業が完了すると図６に示す位置に設置される。このとき、パチンコ機５０の上方且つ遊技島開口部上板５の下方には、上述した突出距離Ｅと同じ大きさの間隙（クリアランス）が発生する。この間隙に対して、遮蔽部材２０は、図示遮蔽距離Ｇだけ上昇した位置に変位して取り付けられることで、前方から後方に向けて障害なく形成（ローラー１０の設置箇所以外）されていた前記間隙を、上板１５の後側面部の位置で遮蔽可能となっている。このように、遮蔽部材２０が前記間隙を、上板１５の後側面部の位置で遮蔽することによって、パチンコ機５０の前方から、前記間隙に何らかの器具を挿入しようとしても、遮蔽部材２０の前面部に付き当ってしまい、それ以上後方への進入が不能となるので、遊技機用島設備の内部やパチンコ機５０の裏面部に不正な操作を為す等のゴト行為を防止することが出来る。すなわち、ローラー１０を備えて嵌め込み作業を容易にしつつ、ローラー１０を備えることにより必然的に発生する間隙を、嵌め込み作業の完了後には、遮蔽部材２０によって遮蔽することで、ゴト行為の防止を図ることが可能となっている。
【００４０】
すなわち、ローラー１０（回転体）を備えた上板１５（板部材）は、ローラー１０が突出する上板１５の上方且つ遊技島開口部上板５の下方に形成される間隙（外側周辺部）に進出或いは退避可能な遮蔽部材２０を備える。
遮蔽部材２０は、上板１５の上板外側面部１５ａから外側方向、すなわち、略矩形状に形成されてなる外枠５１の外側（上方）方向に向かって、ローラー１０の突出距離Ｅよりも小さい距離しか突出しない退避状態と、突出距離Ｅよりも大きな距離まで突出することで、前方から間隙（外側周辺部）を通過して更に後方への異物の進入を不能とするように遮蔽する進出状態と、に変化可能に構成される。
【００４１】
なお、本実施例では、図示のように、上板１５と遊技島開口部上板５の後側面が略面一の構成（図６（ａ）参照）となっているが、相互に前後した構成であっても良い。例えば、遊技島開口部上板５の後側面が上板１５の後側面よりも後方に位置するように構成されていても良い。この場合、遮蔽部材２０は、該遮蔽部材２０の上端部が遊技島開口部上板５の下面部に当接する高さ位置まで上昇することで、同様の効果を奏し得る。
以上、本発明を好適に実施する例として、実施例１を説明してきたが、この他の実施例を次に説明する。
［実施例２］
【００４２】
以下に説明する実施例２は、上述した実施例１と殆ど同様の構成を備えているため、相違する点についてのみ重点的に説明し、他は割愛する。
図７乃至図１０を参照して、実施例２の遊技機としてのパチンコ機１５０に係る概略構成を説明する。図７は実施例２のパチンコ機１５０の正面図であり、図８は実施例２のパチンコ機１５０の背面図であり、図９は実施例２のパチンコ機１５０の右側面図であり、図１０は実施例２のパチンコ機１５０の左側面図である。
本実施例のパチンコ機１５０は、実施例１と同様に略矩形状に形成されてなる外枠１５１を備え、該外枠１５１は、上板１１５、下板１１６、左板１１７、及び右板１１８で構成される。これら本発明の板部材としての上板１１５、下板１１６、左板１１７、及び右板１１８の構成は、実施例１と基本的には同様であって、平板状の板で構成されている。これらの各板の組み付け構成も、実施例１と同様である。すなわち、外枠１５１は、上板１１５、下板１１６、左板１１７、及び右板１１８の其々の端部を連結することで、略矩形状に形成されてなる。また、この外枠１５１は、遊技機用島設備の取付用開口部に嵌め込まれた後で、所定の固定手段で固定されることで設置が為されるようになっている。
【００４３】
本実施例では、外枠１５１の左板部材としての左板１１７、及び右板部材としての右板１１８が、本発明の要部である回転体及び遮蔽部材を備えている。つまり、左板１１７には、回転体としてローラー１１０ｂと遮蔽部材１２０ａを備え、右板１１８には、回転体としてローラー１１０ａと遮蔽部材１２０ｂを備える。
なお、ローラー１１０ｂは、実施例１で説明したローラー１０と略同様の構成である。また、ローラー１１０ａは、本発明の把手としての把手１２５に設けられており、該把手１２５は本発明の板部材としての右板１１８に設けられている。換言すれば、本実施例では、右板１１８が回転体としてのローラー１１０ａを備え、左板１１７が回転体としてのローラー１１０ｂを備える。詳しくは後述する。
【００４４】
左板１１７に設けられるローラー１１０ｂ及び遮蔽部材１２０ａの構成について概要を説明する。
先ず、ローラー１１０ｂについて説明する。左板１１７は、略円柱状に形成された複数のすなわち２個のローラー１１０ｂを上下両側に備えている。ローラー１１０ｂの左部は、左板１１７の外側面すなわち左面部からさらに左方に所定の距離で突出するように設けられている。つまり、左板１１７の左面部から右方にローラー１１０ｂの前記左部以外の部分は埋設され、ローラー回転軸を中心として回動可能に枢設されている。また、図１０に示すように、ローラー１１０ｂのローラー回転軸は、上下方向に設けられている。すなわち、当該ローラー回転軸の設置方向は、パチンコ機１５０つまり外枠１５１の取付用開口部への嵌め込み方向に対して、直交する方向となっている。因みに、この嵌め込み方向は、図９及び図１０に矢印ａにて示す方向すなわち後方へ向かう方向となっている。
このように、ローラー１１０ｂのローラー回転軸が、嵌め込み方向と直交する方向に設定されて設けられることで、嵌め込み作業においてローラー１１０ｂがプリペイドカードユニット（ＣＲユニット）１３０の右側面部に接すると、容易に回転可能となっている。ローラー１１０ｂについては、後で更に詳細に説明するが、このように本実施例の外枠５１を構成する左板１１７（左板部材）は、遊技機用島設備の取付用開口部に外枠１５１或いはパチンコ機１５０を嵌め込む際の嵌め込み方向（前後方向）に対して、直交する方向（上下方向）に設けられたローラー回転軸（回転軸）を中心に回動可能なローラー１１０ｂ（回転体）を備えている。
【００４５】
次いで、遮蔽部材１２０ａについて説明する。遮蔽部材１２０ａは、上下方向の長さが左板１１７と略同じの縦長平板状の薄板で形成されている。該遮蔽部材１２０ａには、図８に示すように、上下両側と中央の３箇所に、固着螺子１２１の螺子部が挿通可能であって、左右方向に横長の長円形状に形成されてなるルーズ穴１２２が開設されている。一方、上述したように、ローラー１１０ｂを備えた左板１１７の後側面部には、遮蔽部材１２０ａのルーズ穴１２２に対応する位置に、固着螺子１２１の螺子部に螺合可能な螺子穴が設けられている。
このように構成される左板１１７及び遮蔽部材１２０ａは、固着螺子１２１の螺子部をルーズ穴１２２に挿通した後、左板１１７の後側面部の螺子穴に螺合することで、図８に示すように遮蔽部材１２０ａは、左板１１７の後側面部に密着して取り付けることが可能となっている。さらに、固着螺子１２１を緩めてルーズ穴１２２の間隙により可能な範囲で、遮蔽部材１２０ａを左右方向に移動させた上で、再度螺合することで、左板１１７に対する遮蔽部材１２０ａの横方向の配設位置を変化させることが可能となっている。なお、図７乃至図１０に示す遮蔽部材１２０ａは、パチンコ機１５０の内側に最も寄った、すなわち右方に寄った位置にて取り付けられた状態となっており、ルーズ穴１２２によって、後述する図１１に矢印ｃにて示す方向すなわち左方、更にいえばローラー１１０ｂが突出している方向へ変位可能となっている。遮蔽部材１２０ａの詳しい構成及び作用についても、後で説明する。
【００４６】
次に、右板１１８に設けられるローラー１１０ａを具備してなる把手１２５及び遮蔽部材１２０ｂの構成について概要を説明する。
先ず、把手１２５について説明する。右板１１８は、把手１２５を上下位置に２個備える。把手１２５は、略コ字状に形成される。また把手１２５は、略コ字状に形成された両端部にて回転可能に枢設されることで、右板１１８の右側面に対して直角（左右方向）に起立する起立状態と、右板１１８の右側面に対して平行となるように傾倒し且つ右板１１８の右側面に凹設された第１収納凹部１３０に収納される傾倒状態と、に回転して変化可能となっている。
そして、該把手１２５は、前記第１収納凹部１３０を備えた把手取付基板１２６に設けられ、該把手取付基板１２６が右板１１８に設置されるようになっている。図７及び図８は、把手１２５が起立状態にある態様を示し、図９は、傾倒状態にある態様を示している。
【００４７】
次に、ローラー１１０ａについて説明する。右板１１８に設けられる把手１２５は、略円柱状に形成された複数のすなわち２個のローラー１１０ａを前後両側（図９参照）に備えている。把手１２５が前記傾倒状態にあるとき（後述する図１２（ａ）及び図１２（ｂ）に示す状態）、ローラー１１０ａの右部は、右板１１８の外側面すなわち右面部からさらに右方に所定の距離で突出するように設けられている。つまり、右板１１８の右面部から左方にローラー１１０ａの前記右部以外の部分は埋設され、ローラー回転軸を中心として回動可能に枢設されている。また、図９に示すように、ローラー１１０ａのローラー回転軸は、上下方向に設けられている。すなわち、当該ローラー回転軸の設置方向は、パチンコ機１５０つまり外枠１５１の取付用開口部への嵌め込み方向に対して、直交する方向となっている。因みに、この嵌め込み方向は、図９及び図１０に矢印ａにて示す方向すなわち後方へ向かう方向となっている。
このように、ローラー１１０ａのローラー回転軸が、嵌め込み方向と直交する方向に設定されて設けられることで、嵌め込み作業においてローラー１１０ａが右窓枠部の左面部に接すると、容易に回転可能となっている。ローラー１１０ａについては、後で更に詳細に説明するが、このように本実施例の外枠５１を構成する右板１１８（右板部材）は、遊技機用島設備の取付用開口部に外枠１５１或いはパチンコ機１５０を嵌め込む際の嵌め込み方向（前後方向）に対して、直交する方向（上下方向）に設けられたローラー回転軸（回転軸）を中心に回動可能なローラー１１０ａ（回転体）を備えている。
【００４８】
次いで、遮蔽部材１２０ｂについて説明する。遮蔽部材１２０ｂは、取り付ける対象が左板１１７ではなく右板１１８であり、変位の方向が左方ではなく右方となる点を除いて、略上述した遮蔽部材１２０ａと同様の構成であるため、説明を割愛する。
【００４９】
次に、本発明の要部である回転体としてのローラー１１０ｂ及び遮蔽部材１２０ａに係る詳細な構成と作用について、図１１を参照して説明する。図１１は、本実施例の外枠１５１（パチンコ機１５０）を遊技機用島設備に嵌め込む際の、ローラー１１０ｂ及び遮蔽部材１２０ａの作用を説明する概略説明図である。
図１１には、外枠１５１（パチンコ機１５０）を遊技機用島設備に嵌め込む際の、左板１１７及び遊技機用島設備の取付用開口部の左部に相当するプリペイドカードユニット（ＣＲユニット）１３０のみを概略的に示した。なお、図１１は、上方から俯瞰した図である。
【００５０】
先ず、ローラー１１０ｂの構成を説明する。図１１に示すように、ローラー１１０ｂは半径Ｉで略円柱形状に形成され、外枠１５１の嵌め込み方向としての図示矢印ａの方向に対して直交する方向でローラー回転軸を備えている。また、左板１１７は、左板外側面部１１７ａから右方に向かって、ローラー１１０ｂを収容可能な凹部として形成されたローラーハウジング１１１ｂを備える。さらに、左板１１７は、左板外側面部１１７ａから右方に向かって軸芯距離Ｍの位置にてローラー１１０ｂのローラー回転軸を枢設する。軸芯距離Ｍは、半径Ｉより小さく設定されることで、ローラー１１０ｂの左部が、左板外側面部１１７ａから左方に、突出距離Ｈだけ突出するように構成されている。なお、図示した状態は、外枠１５１が遊技機用島設備の取付用開口部に嵌め込まれる過程であって、図に示したローラー１１０ｂは、最左部にてプリペイドカードユニット（ＣＲユニット）１３０の右側面部に接しているが、必ずしも当接しなくても良い。ローラー１１０ｂの最左部とプリペイドカードユニット（ＣＲユニット）１３０の右側面部との間に僅かに間隙があっても良い。要するに、プリペイドカードユニット（ＣＲユニット）１３０の右側面部に対して、左板外側面部１１７ａよりもローラー１１０ｂの最左部が近い位置となる構成であれば良い。
【００５１】
すなわち、ローラー１１０ｂ（回転体）のローラー回転軸（回転軸）は、左板１１７の左板外側面部１１７ａ（外側面）から、右方（略矩形状に形成された外枠１５１の内側方向）であり、且つローラー１１０ｂの半径Ｉより小さい軸芯距離Ｍ（所定の軸芯距離）の位置に配置されている。
また、ローラー１１０ｂ（回転体）の左部（一部）は、左板１１７の左板外側面部１１７ａ（外側面）から、左方（略矩形状に形成された外枠１５１の外側方向）に向かって突出距離Ｈ（所定の突出距離）まで突出して構成されている。
【００５２】
本実施例のローラー１１０ｂは、上述した構成によって、プリペイドカードユニット（ＣＲユニット）１３０の右側面部に対して以下のような作用を為す。
つまり、プリペイドカードユニット（ＣＲユニット）１３０の右側面部に対して、左板外側面部１１７ａよりもローラー１１０ｂの最左部が近い位置となる構成により、外枠１５１を遊技機用島設備に嵌め込んで矢印ａの方向に移動する際、左板外側面部１１７ａがプリペイドカードユニット（ＣＲユニット）１３０の右側面部に接触する前に、ローラー１１０ｂの最左部が接触する。これにより、左板外側面部１１７ａがプリペイドカードユニット（ＣＲユニット）１３０の右側面部に接触して、矢印ａの方向への外枠１５１の嵌め込み移動が困難となる状態を回避し、当該嵌め込み作業を容易とする。
また、嵌め込み方向としての矢印ａの方向に対して、ローラー回転軸が直交する方向で設けられているので、嵌め込んでいく過程においてローラー１１０ｂの最左部がプリペイドカードユニット（ＣＲユニット）１３０の右側面部に接触すると、ローラー１１０ｂは容易に回転する。このため、プリペイドカードユニット（ＣＲユニット）１３０の右側面部にローラー１１０ｂが接触したとしても、摩擦抵抗が低いので、さらに嵌め込み作業を容易とすることができる。
このような嵌め込み作業における摩擦抵抗を低下させるローラー１１０ｂによって、図１１（ａ）の状態から更に進入して所定の停止位置（遊技機用島設備に対するパチンコ機１５０の設置予定位置）まで変位した状態が図１１（ｂ）に示す状態である。
【００５３】
次に、遮蔽部材１２０ａの構成について説明する。遮蔽部材１２０ａには、既に説明したように、３箇所のルーズ穴１２２が、左右方向に横長の長円形状に形成されて設けられている。該ルーズ穴１２２に対応して、左板１１７の後側面部には螺子穴が設けられている。固着螺子１２１をルーズ穴１２２に挿通し、螺子穴にて螺合することで、左板１１７の後側面部に遮蔽部材１２０ａが密着して備えられる。
図１１（ａ）は、固着螺子１２１をルーズ穴１２２の最左部に挿通して取り付けたことにより、遮蔽部材１２０が左板１１７の後側面部に最も低い位置にて取り付けられた状態を示している。図には、遮蔽部材１２０ａの左端が、左板１１７の左板外側面部１１７ａと略面一となるように示されている。なお、この状態に限らず、遮蔽部材１２０ａの上端が、ローラー１１０ｂの最左部よりも右に、すなわち嵌め込み移動の際に、遮蔽部材１２０ａがローラー１１０ｂよりも先に、プリペイドカードユニット（ＣＲユニット）１３０の右側面部に接触することのないように、位置決めされていれば良く、遮蔽部材１２０ａの左端が左板外側面部１１７ａより突出していても良いし、逆に右方に退避していても良い。何れにしても、このような遮蔽部材１２０ａの状態が、本発明の退避状態である。
また、遮蔽部材１２０ａは、図１１（ｂ）に示すように、図示矢印ｃすなわち左方に向かって変位可能であって、図１１（ａ）に示した状態よりも左に向かった位置に変位して固定することも可能となっている。より詳しくは、遮蔽部材１２０ａの左端が、プリペイドカードユニット（ＣＲユニット）１３０の右側面部に当接する位置まで変位可能となっている。これは、固着螺子１２１をルーズ穴１２２の最右部に挿通して取り付けることが可能な構成であることによる。このような遮蔽部材１２０ａの状態が、本発明の進出状態であって、更に遮蔽部材１２０ａは、進出状態と退避状態に変化可能な構成となっている。
【００５４】
次にこのように構成される遮蔽部材１２０ａの作用について説明する。
先ず、図１１（ａ）に示す状態では、先に述べたように、ローラー１１０ｂの最左部とプリペイドカードユニット（ＣＲユニット）１３０の右側面部が当接している状態であるため、当該嵌め込み作業中には、ローラー１１０ｂの左部の突出距離Ｈと同じ大きさの間隙（クリアランス）が、プリペイドカードユニット（ＣＲユニット）１３０の右側面部と左板外側面部１１７ａの間に発生する。当該間隙は、ローラー１１０ｂが突出する左板１１７に係る本発明の外側周辺部に相当する。
外枠１５１或いはパチンコ機１５０を遊技機用島設備に嵌め込む作業においては、図１１（ａ）に示すように、遮蔽部材１２０ａは、該遮蔽部材１２０ａの左端部がローラー１１０ｂの最左部より右方に位置する、すなわちプリペイドカードユニット（ＣＲユニット）１３０の右側面部にローラー１１０ｂよりも接触し難い位置に位置決めされる。これにより、嵌め込み作業において、プリペイドカードユニット（ＣＲユニット）１３０の右側面部にローラー１１０ｂが接触して回転するため、嵌め込みをスムーズに行うことが出来、作業の容易化を図ることができる。本実施例の場合には、嵌め込み作業にて、パチンコ機１５０を後方へ移動するとき、パチンコ機１５０の左側部及び右側部が前後して、つまり斜めの姿勢となってパチンコ機１５０の左側がプリペイドカードユニット（ＣＲユニット）１３０の右側面部に引っ掛かって動かなくなる、といった状態を防止して、円滑な移動を実現することができる。
【００５５】
次に、嵌め込み作業が完了すると図１１（ｂ）に示す位置に設置される。このとき、パチンコ機１５０の左方且つプリペイドカードユニット（ＣＲユニット）１３０の右側面部の右方には、上述した突出距離Ｈと同じ大きさの間隙（クリアランス）が発生する。この間隙に対して、遮蔽部材１２０ａは、図示左方向へ遮蔽距離Ｊだけ変位した位置に取り付けられることで、前方から後方に向けて障害なく形成（ローラー１１０ｂの設置箇所以外）されていた前記間隙を、左板１１７の後側面部の位置で遮蔽可能となっている。このように、遮蔽部材１２０ａが前記間隙を、左板１１７の後側面部の位置で遮蔽することによって、パチンコ機１５０の前方から、前記間隙に何らかの器具を挿入しようとしても、遮蔽部材１２０ａの前面部に付き当ってしまい、それ以上後方への進入が不能となるので、遊技機用島設備の内部やパチンコ機１５０の裏面部に不正な操作を為す等のゴト行為を防止することが出来る。すなわち、ローラー１１０ｂを備えて嵌め込み作業を容易にしつつ、ローラー１１０ｂを備えることにより必然的に発生する間隙を、嵌め込み作業の完了後には、遮蔽部材１２０ａによって遮蔽することで、ゴト行為の防止を図ることが可能となっている。
【００５６】
すなわち、ローラー１１０ｂ（回転体）を備えた左板１１７（板部材）は、ローラー１１０ｂが突出する左板１１７の左方且つプリペイドカードユニット（ＣＲユニット）１３０の右側面部の右方に形成される間隙（外側周辺部）に進出或いは退避可能な遮蔽部材１２０ａを備える。
遮蔽部材１２０ａは、左板１１７の左板外側面部１１７ａから外側方向、すなわち、略矩形状に形成されてなる外枠１５１の外側（左方）方向に向かって、ローラー１１０ｂの突出距離Ｈよりも小さい距離しか突出しない退避状態と、突出距離Ｈよりも大きな距離まで突出することで、前方から間隙（外側周辺部）を通過して更に後方への異物の進入を不能とするように遮蔽する進出状態と、に変化可能に構成される。
【００５７】
次に、本実施例が更に備える、本発明の要部である回転体としてのローラー１１０ａ、該ローラー１１０ａを備えた把手１２５及び遮蔽部材１２０ｂに係る詳細な構成と作用について、図１２を参照して説明する。図１２は、本実施例の外枠１５１（パチンコ機１５０）を遊技機用島設備に嵌め込む際の、又は嵌め込み作業の前後の保管時におけるローラー１１０ａ、把手１２５及び遮蔽部材１２０ｂの作用を説明する概略説明図である。
図１２には、右板１１８に把手取付基板１２６を介して設けられる把手１２５と、該把手１２５に設けられるローラー１１０ａのみを概略的に示した。図１２（ａ）は、右板１１８に取り付けられた把手取付基板１２６を右方から視た図であり、図１２（ｂ）は傾倒状態にある把手１２５のＡＡ´矢視図であり、図１２（ｃ）は起立状態にある把手１２５のＡＡ´矢視図である。なお、図１２（ａ）に示す把手１２５は、傾倒状態である。また、図１２（ｂ）及び図１２（ｃ）は、右板１１８に取り付けられた把手取付基板１２６を後方から視た図である。
【００５８】
先ず、把手１２５の構成について、上述した構成に付加して説明する。図１１（ａ）に示すように、把手１２５は下方に向かって開口した略コ字状に形成され、一対の脚部の両下端部には把手枢軸１２９を前後方向に挿入可能な把手枢軸孔が穿設されている。また、前記一対の脚部の上下方向の中央部には、本発明の回転体としてのローラー１１０ａが設けられている。すなわち、該ローラー１１０ａが収納可能に、前記一対の脚部の上下方向の中央部には、ローラーハウジング１１１ａが凹設されている。
尚、ローラー１１０ａが設けられる一対の脚部が、本発明の把手基体部であり、該一対の脚部を相互に連結する部分が本発明の把持部である。
ローラー１１０ａは、上述したローラー１１０ｂと基本的には同じ構成であり、略円柱状に形成される。図１２（ａ）及び（ｂ）に示す傾倒状態に把手１２５がある場合を参照して説明すると、ローラー１１０ａは外枠１５１の嵌め込み方向としての図示矢印ａの方向に対して直交する方向でローラー回転軸を備えている。また、把手１２５は、傾倒状態にある把手１２５の右側面部から左方に向かって所定の軸芯距離の位置にローラー１１０ａのローラー回転軸を枢設する。前記所定の軸芯距離は、ローラー１１０ａの断面の半径より小さく設定されることで、ローラー１１０ａの右部が、把手１２５の右側面部から右方に、所定の突出距離だけ突出するように構成されている。なお、ローラー１１０ａは、嵌め込み作業において、右窓枠部の左面部に相対するように構成されている。
【００５９】
すなわち、ローラー１１０ａ（回転体）のローラー回転軸（回転軸）は、把手１２５の右側面部から、左方（略矩形状に形成された外枠１５１の内側方向）であり、且つローラー１１０ａの半径より小さい所定の軸芯距離の位置に配置されている。
また、ローラー１１０ａ（回転体）の右部（一部）は、把手１２５の右側面部から、右方（略矩形状に形成された外枠１５１の外側方向）に向かって所定の突出距離まで突出して構成されている。
【００６０】
把手１２５が取り付けられる把手取付基板１２６には、傾倒状態にある把手１２５が収納可能な第１収納凹部１３０が設けられている。本実施例では、該第１収納凹部１３０は、把手１２５が傾倒状態となると、把手１２５の右側面部と、把手取付基板１２６の凸部すなわち右板１１８の右側面部とが、面一となるように構成されている。すなわち、上述した所定の軸芯処理や所定の突出距離は、傾倒状態にある把手１２５の右側面部を基準として設定されると共に、右板１１８の右側面部を基準として設定されるものである。
また、把手取付基板１２６は、把手枢軸１２９を軸支するための軸受孔が穿設されてなる軸受部１２７を備える。さらに、把手取付基板１２６は、該把手取付基板１２６を右板１１８に取り付ける為の基板取付螺子が挿通可能な螺子孔を４箇所設けている。
次に、このように構成されるローラー１１０ａ、及び把手１２５の作用を説明する。
【００６１】
先ず、把手１２５は、傾倒状態とされることで、パチンコ機１５０の上述した嵌め込み作業が可能となっている。また、把手１２５は、傾倒状態から図１１（ｃ）に示す起立状態となることにより、該把手１２５を作業者が把持してパチンコ機１５０の移動を容易とする。具体的には、把手１２５を起立状態として、さらにパチンコ機１５０を右板１１８が上方となるように、すなわち横向きにして、把手１２５を把持し、パチンコ機１５０を持ち上げて移動する。このように、把手１２５は、把持する際には起立状態となり、把持する必要が無い時は、把手枢軸１２９を中心に回動して、傾倒状態に変化して第１収納凹部１３０に邪魔にならないように収納される。
【００６２】
本実施例のローラー１１０ａは、上述した構成によって、右窓枠部の左面部に対して以下のような作用を為す。
つまり、右窓枠部の左面部に対して、右板外側面部よりもローラー１１０ａの最右部が近い位置となる構成により、外枠１５１を遊技機用島設備に嵌め込んで矢印ａの方向に移動する際、右板外側面部が右窓枠部の左面部に接触する前に、ローラー１１０ａの最右部が接触する。これにより、右板外側面部が右窓枠部の左面部に接触して、矢印ａの方向への外枠１５１の嵌め込み移動が困難となる状態を回避し、当該嵌め込み作業を容易とする。
また、嵌め込み方向としての矢印ａの方向に対して、ローラー回転軸が直交する方向で設けられているので、嵌め込んでいく過程においてローラー１１０ａの最右部が右窓枠部の左面部に接触すると、ローラー１１０ａは容易に回転する。このため、右窓枠部の左面部にローラー１１０ａが接触したとしても、摩擦抵抗が低いので、さらに嵌め込み作業を容易とすることができる。
【００６３】
なお、ローラー１１０ａの最右部と右窓枠部の左面部との間隙を遮蔽する遮蔽部材１２０ｂの構成及び作用は、上述したように遮蔽部材１２０ａと基本的には同じであるので、省略する。
以上、本発明を好適に実施する例として、実施例２を説明してきたが、さらに他の実施例を次に説明する。
［実施例３］
【００６４】
以下に説明する実施例３は、上述した実施例２と殆ど同様の構成を備えているため、相違する点についてのみ重点的に説明し、他は割愛する。本実施例のパチンコ機２５０は、実施例２のパチンコ機１５０とは向かって右側部分の構成、特に本発明の把手に係る構成において相違する。
図１３乃至図１６を参照して、実施例３の遊技機としてのパチンコ機２５０に係る概略構成及び本発明の要部を説明する。図１３は実施例３のパチンコ機２５０の正面図であり、図１４は実施例３のパチンコ機２５０の背面図であり、図１５は実施例３のパチンコ機２５０の右側面図であり、図１６は実施例３のパチンコ機２５０が備える把手２２５及びローラー２１０ａの概略説明図である。
本実施例のパチンコ機２５０は、実施例２と同様に略矩形状に形成されてなる外枠２５１を備え、該外枠２５１は、上板２１５、下板２１６、左板２１７、及び右板２１８で構成される。これら本発明の板部材としての上板２１５、下板２１６、左板２１７、及び右板２１８の構成は、実施例２と基本的には同様であって、平板状の板で構成されている。これらの各板の組み付け構成も、実施例２と同様である。すなわち、外枠２５１は、上板２１５、下板２１６、左板２１７、及び右板２１８の其々の端部を連結することで、略矩形状に形成されてなる。また、この外枠２５１は、遊技機用島設備の取付用開口部に嵌め込まれた後で、所定の固定手段で固定されることで設置が為されるようになっている。
【００６５】
本実施例では、外枠２５１の左板部材としての左板２１７、及び右板部材としての右板２１８が、本発明の要部である回転体及び遮蔽部材を備えている。つまり、左板２１７には、回転体としてローラー２１０ｂと遮蔽部材２２０ａを備え、右板２１８には、回転体としてローラー２１０ａと遮蔽部材２２０ｂを備える。
また、ローラー２１０ａは、本発明の把手としての把手２２５に設けられており、該把手２２５は本発明の板部材としての右板２１８に設けられている。換言すれば、本実施例では、右板２１８が回転体としてのローラー２１０ａを備え、左板２１７が回転体としてのローラー２１０ｂを備えるものである。
【００６６】
なお、上述したように、本実施例と実施例２は、パチンコ機の向かって左側の構成に関して、同様のものとなっている。つまり、本実施例の左板２１７、ローラー２１０ｂ、及び遮蔽部材２２０ａは、実施例２の左板１１７、ローラー１１０ｂ、及び遮蔽部材１２０ａと同様の構成であり、作用効果も同じであるため、説明を割愛し、以下にパチンコ機２５０の向かって右側の構成に関して説明する。
【００６７】
では、右板２１８に設けられるローラー２１０ａを具備してなる把手２２５及び遮蔽部材２２０ｂの構成について概要を説明する。
先ず、右板２１８が備える把手２２５について説明する。図１３乃至図１５には、起立状態に維持された把手２２５が示されている。このように、把手２２５は、前方視横長の略コ字状に形成されてなる。
【００６８】
より詳しく図１６を参照して説明する。図１６（ａ）は、把手２２５の正面図であり、図１６（ｂ）は、把手２２５の底面図であり、図１６（ｃ）は、図１６（ａ）に係るＡＡ´矢視拡大図である。把手２２５は、前方視横長の略コ字状に形成されることで左方へ延設される一対の脚部と該一対の脚部の右方末端にて上下方向で連結する連結部で構成される。該脚部は本実施例の把手基体部２２５ａを、また、連結部が把持部２２５ｂを構成する。把手基体部２２５ａは、把手２２５を右板２１８に回動可能に取り付けるものであり、把持部２２５ｂはパチンコ機２５０を移動する際に該把持部２２５ｂを把持することでパチンコ機２５０を持ち上げるためのものである。
把手２２５の把手基体部２２５ａは、上下方向に貫通すると共に図示しない把手枢軸が挿入可能な把手枢軸孔２２９が穿設されてなる。
把手基体部２２５ａは、把手枢軸孔２２９の右方に、ローラー２１０ａが収容可能な凹部として形成されるローラーハウジング２１１ａを備える。
【００６９】
また、右板２１８は、図１５に示すように把手取付基板２２６を備える。把手取付基板２２６は、把手２２５を起立状態と傾倒状態に回動変化可能に枢設すると共に傾倒状態において把手２２５の把手基体部２２５ａを収納可能な第１収納凹部２３０を左方に向けて凹設してなる。さらに、該把手取付基板２２６を右板２１８に４本の取付螺子２２８で取付可能となっている。
【００７０】
次に、該ローラーハウジング２１１ａに収容されるローラー２１０ａについて説明する。
図１６（ｃ）に示すように、ローラー２１０ａは把手２２５の図示上面から下方に所定の軸芯距離となる位置にローラー回転軸を備える。また、該所定の軸芯距離は、ローラー２１０ａの円形断面の半径よりも小さい寸法に設定され、これにより、ローラー２１０ａは把手２２５の図示上面から所定の突出距離だけ図示上方に突出して構成される。なお、図１６（ｃ）における図示上方は、図１３の正面図にて把手２２５が起立状態から傾倒状態となったとき、右方に相当する。なお、本実施例では、把手取付基板２２６の右側端面部と、傾倒状態にある把手２２５の右側端面部と、右板２１８の右側端面部は、何れも面一となるように構成されている。すなわち、把手２２５が傾倒状態にてローラー２１０ａは、右板２１８の右外側面部から右方に前記所定の突出距離だけ突出することになる。また、ローラー２１０ａのローラー回転軸は、図１３に示すように、上下方向に設けられており、パチンコ機２５０の嵌め込み方向（後方へ向かう方向）とは、直交する方向にて設定されている。
【００７１】
上記各種構成を備えた本実施例の把手２２５は、把手枢軸を中心に回動することで、図１３に示す起立状態から、把手２２５の把持部２２５ｂが後方に変位して、把手基体部２２５ａが第１収納凹部２３０に収納される傾倒状態に変化可能となっている。なお、当該傾倒状態に把手２２５を維持した上で、パチンコ機２５０を遊技機用島設備へ嵌め込む作業が行われる。
【００７２】
さらに、本実施例のパチンコ機２５０の前枠２５２は、図１３及び図１５に示すように、把持部２２５ｂとは異なる、すなわちパチンコ機２５０とは異なる他のパチンコ機の把手の把持部を収納可能な第２収納凹部２３１を備える。該第２収納凹部２３１は、把持部の外形形状に相似で且つやや大きい凹部として形成されると共に、前枠２５２の右側側面部から左方向に所定の深さで形成されている。
【００７３】
図１４及び図１５に示されるように、右板２１８は、後方すなわち裏面側に略薄板屈曲板状（把手２２５に係る逃がし凹部有り）に形成される遮蔽部材２２０ｂを備える。遮蔽部材２２０ｂは上述した遮蔽部材１２０ｂと比較して、略薄板屈曲板状であるか略薄板平板状であるかの点において相違するのみで、略同様の構成であるので、構成の説明は割愛する。
以上のように構成される本実施例のローラー２１０ａ、把手２２５、及び遮蔽部材２２０ｂの為す作用について、図１７及び図１８も参照して次に説明する。
【００７４】
図１７は遮蔽部材２２０ｂの進出状態と退避状態を説明する概略説明図である。なお、該図１７は、図１４の矩形領域Ａを拡大した図である。図１７（ａ）は、パチンコ機２５０の嵌め込み作業時に把手２２５を傾倒状態にして（図には起立状態にある把手２２５を示している）遮蔽部材２２０ｂが退避状態となっている態様を示している。パチンコ機２５０の嵌め込み作業が完了すると、図１７（ｂ）に示すように、遮蔽部材２２０ｂは、ルーズ穴２２２と固着螺子２２１の作用により、図示矢印ｄの方向すなわち右方（図示左方向）に遮蔽距離Ｋだけ変位して取り付けられる。これにより、右板２１８と右窓枠部の左面部との間の間隙を、前方から異物が侵入不能に遮蔽することができる。
【００７５】
本実施例のローラー２１０ａは、上述した構成によって、右窓枠部の左面部に対して以下のような作用を為す。
つまり、右窓枠部の左面部に対して、右板外側面部よりもローラー２１０ａの最も突出した部分が近い位置となる構成により、外枠２５１を遊技機用島設備に嵌め込んで後方に移動する際、右板外側面部が右窓枠部の左面部に接触する前に、ローラー２１０ａの最も突出した部分が接触する。これにより、右板外側面部が右窓枠部の左面部に接触して、後方への外枠２５１の嵌め込み移動が困難となる状態を回避し、当該嵌め込み作業を容易とする。
また、嵌め込み方向としての後方（後側方向）に対して、ローラー回転軸が直交する方向で設けられているので、嵌め込んでいく過程においてローラー２１０ａの最も突出した部分が右窓枠部の左面部に接触すると、ローラー２１０ａは容易に回転する。このため、右窓枠部の左面部にローラー２１０ａが接触したとしても、摩擦抵抗が低いので、さらに嵌め込み作業を容易とすることができる。
【００７６】
次いで、図１８を参照して本発明の把手の把持部及び第２収納凹部の作用を説明する。
図１８には、遊技場等での設置作業の前後等にて複数のパチンコ機を整列させて保管する場合や、搬送時に車両の荷台に複数のパチンコ機を整列して載せる場合等における本発明の作用態様が示されており、上方から俯瞰した図となっている。
パチンコ機２５０とパチンコ機１２５０が、共に其々右板２１８と右板１２１８を上方となるように横臥して並べ置かれるとき、換言すれば、パチンコ機２５０の前方（図示左方向）にパチンコ機１２５０が配置されるとき、パチンコ機１２５０の把手１２２５を後方（図示右方向）に傾倒して傾倒状態として、該把手１２２５の把持部１２２５ｂを、パチンコ機２５０の前枠２５２に凹設された第２収納凹部２３１に収納する。このようにすることで、不安定な状態で安置されたパチンコ機２５０とパチンコ機１２５０を共に連結して横倒しにならないよう安定させることができる。また、本実施例の第２収納凹部２３１は、把持部１２２５ｂとは相似形状且つやや大きく形成されていることで、水平方向の何れの方向へも大きくずれることなく、パチンコ機２５０とパチンコ機１２５０の相互位置を保持可能となっており、多少の振動や衝撃が加わっても、安定性を維持可能な構成となっている。
【００７７】
以上、本発明を好適に実施する実施例を例示して説明してきたが、本発明の技術思想から逸脱しない限り、これに限定するものではない。
例えば、実施例２及び実施例３の把手１２５、２２５、及び１２２５は、略コ字状に形成されたものを例示したが、起立状態と傾倒状態に変化可能に回動する構成及び把持可能な構成を備えていれば他の構成であっても良い。例えば、略Ｔ字状に形成されたモノであっても良い。すなわち、例示した構成では、前記略コ字状の一対の足の部分を把手基体部として該把手基体部にて回動可能に軸支されるものであるが、略Ｔ字状の中央縦軸の下部を把手基体部として軸支されて、上部の横軸部分を把持部とする構成としても良い。
【００７８】
また、遊技機として弾球遊技機であるパチンコ機を例示したが、この他に回胴式遊技機、アレンジボール遊技機、及びじゃん球遊技機等の他の遊技機であっても、本発明を適用することができる。すなわち、遊技場に設置された遊技機島設備の遊技機に対応した開口部に嵌め込んだ後に固定して設置する遊技機であれば、他の遊技機であっても良い。また、発射可能な遊技球数を所定の記憶媒体に記憶し、賞球等が発生しても遊技球を払い出さない封入式遊技機に適用しても良い。
【００７９】
また、本発明の回転体は、遊技機用島設備の取付開口部に外枠（遊技機）を嵌め込む方向、すなわち、前後方向に複数備える構成が好適である。これにより、嵌め込み作業において、嵌め込み方向に対して遊技機が斜めの姿勢になっても前後何れかの回転体が取付開口部に接触していて、スムーズな移動を可能とする。
【００８０】
また、本発明の回転体は、外枠の下板に設けても良い。大きな重量の遊技機であっても、下板と取付開口部の摩擦抵抗を大幅に軽減するので、移動が容易となる。
【００８１】
また、実施例３の把手１２２５の把持部１２２５ｂは、パチンコ機２５０の前枠２５２に凹設された第２収納凹部２３１に収納可能な構成となっていたが、さらに、より堅固にパチンコ機２５０とパチンコ機１２５０を位置決めするために、つまり第２収納凹部２３１から把持部１２２５ｂが抜けないようにするために、把持部１２２５ｂは、把持部嵌め込み係止部材を備えても良い。該把持部嵌め込み係止部材は退避位置と係止位置に変位可能であって、退避位置にあるときに把持部１２２５ｂを第２収納凹部２３１に嵌め込んで、その後に係止位置に変化させる。係止位置では把持部嵌め込み係止部材は把持部１２２５ｂの内部から外部に突出し、突出した該把持部嵌め込み係止部材が嵌入可能な第２収納凹部２３１の嵌入穴部に嵌め込まれて、係止される。また、退避位置では、把持部嵌め込み係止部材は把持部１２２５ｂの内部に退避して、第２収納凹部２３１に対する把持部１２２５ｂの挿脱の障害とならないようになっている。なお、該把持部嵌め込み係止部材の変位を作業者が任意に操作可能な操作部を把持部嵌め込み係止部材に一体的に備えることが尚好適である。
さらにこのような構成に付加して、前記把持部嵌め込み係止部材が、バネ等の弾性部材の付勢力によって、常に係止位置を維持可能に構成しても良い。このように構成することで、第２収納凹部２３１に対して把持部１２２５ｂを挿入する際は、作業者が前記付勢力に反して前記操作部を操作して、把持部嵌め込み係止部材を退避位置に変位させ、当該退避位置のままの第２収納凹部２３１に把持部１２２５ｂを嵌め込んだ後に、操作部を解放する。操作部が解放されると、前記付勢力に依って把持部嵌め込み係止部材は係止位置に変位すると共に、前記第２収納凹部２３１の嵌入穴部に嵌め込まれる。当該係止位置に常に付勢力によって維持されることで、把持部１２２５ｂは第２収納凹部２３１から容易には外れ難くなると共に、第２収納凹部２３１に把持部１２２５ｂが嵌め込まれている状態の維持及び確認作業を軽減することができる。
【００８２】
また、実施例３の把手２２５及び把手１２２５は、図示した形状で成形された例を示したが、これに限らない。例えば、伸縮構造を備えて、短縮時には略コ字状で、伸長時には略横長コ字状に変化するように構成しても良い。伸縮構造に関しては、一定の強度を備えた構成が望ましい。このように、伸縮構造とすることで、把手を把持して遊技機を移動させる際には短縮することで邪魔にならないようにして、遊技機相互の位置決めを行う際には遊技機の厚み寸法以上に伸長して位置決めを容易とすることができる。
【００８３】
また、上述した各実施例における本発明の回転体に相当するローラーは、何れも回転軸（軸芯）の位置が固定された構成となっているが、これに限らず回転軸の位置が変位可能に構成されたものであっても良い。例えば、回転軸が、外枠を構成する何れかの板部材の外側面（外枠の略矩形状の外郭を構成する何れかの面部）に対して直交する方向に進退可能に構成され、且つバネ等の弾性部材によって常に外側面に対して外側方向（外枠が形成される略矩形状の外側方向）に付勢されるように構成されていても良い。回転軸は進出位置と退避位置に変化可能であるが、進出位置と退避位置の何れの位置でも、前記外側面からの距離が回転体の半径よりも小さく設定されていれば良い。
これにより、進出位置と退避位置の何れにおいても、回転体の一部が外側面より突出する状態となり、本発明の効果を奏し得る。更に、前記付勢の作用により、外枠を取付用開口部に嵌め込む際、取付用開口部の内壁に回転体の突出している部分が接触しても、付勢力に抗して取付用開口部の内壁からの外力によって回転体が退避位置の方向に変位する。また、嵌め込み作業の過程にて、取付用開口部の内壁の凹凸に応じて、回転体が進退して常に取付用開口部の内壁に回転体が接触して回転可能となる。また、これにより外枠と取付用開口部の間隙をより小さく設定することができる。
【００８４】
さらに、実施例２及び実施例３の上板には、回転体及び遮蔽部材を備えない構成を例示した。しかし、これらの実施例においても実施例１と同様に、回転体を備えるようにしても良い。また、その場合には遮蔽部材を備えるようにしても良い。外枠を構成する各板部材に、より多く回転体を備えることで、嵌め込み作業を更に容易とすることが出来る。また、その場合に遮蔽部材を併せて備えることで、嵌め込み作業の容易化に併せて、ゴト行為を未然に防止することができる。
【００８５】
［特許請求の範囲との対応］
上記実施形態の説明で用いた用語と、特許請求の範囲の記載に用いた用語との対応を示す。
【００８６】
パチンコ機５０、パチンコ機１５０、パチンコ機２５０、及びパチンコ機１２５０、が、遊技機に相当する。
【００８７】
上板１５、上板１１５、及び上板２１５が、上板部材に相当する。また、下板１６、下板１１６、及び下板２１６が、下板部材に相当する。また、左板１７、左板１１７、及び左板２１７が、左板部材に相当する。また、右板１８、右板１１８、及び右板２１８が、右板部材に相当する。
【００８８】
ローラー１０、ローラー１１０ａ、ローラー１１０ｂ、ローラー２１０ａ、及びローラー２１０ｂ、が、回転体に相当する。また、ローラー回転軸が回転軸に相当する。
【符号の説明】
【００８９】
１０：ローラー
１５：上板
１６：下板
１７：左板
１８：右板
２０：遮蔽部材
５０：パチンコ機
５１：外枠
【図１】
2014223172.tif 000003
【図２】
2014223172.tif 000004
【図３】
2014223172.tif 000005
【図４】
2014223172.tif 000006
【図５】
2014223172.tif 000007
【図６】
2014223172.tif 000008
【図７】
2014223172.tif 000009
【図８】
2014223172.tif 000010
【図９】
2014223172.tif 000011
【図１０】
2014223172.tif 000012
【図１１】
2014223172.tif 000013
【図１２】
2014223172.tif 000014
【図１３】
2014223172.tif 000015
【図１４】
2014223172.tif 000016
【図１５】
2014223172.tif 000017
【図１６】
2014223172.tif 000018
【図１７】
2014223172.tif 000019
【図１８】
2014223172.tif 000020